(57)【要約】【課題】原稿を照明する光源の交換時のダウンタイムを低減し、まだ使用可能な光源については適切な寿命を判断することができる画像読取装置、およびそれを備えた画像形成装置を提供する。【解決手段】所定のタイミングで前記光源１１１により前記基準部材１０３を照明し、その反射光から情報を読み取る読取手段１０６と、前記基準部材１０３の読取により得られた情報Ａを記憶する記憶手段３０５と、前記光源１１１について光源累積稼働時間Ｂを計算する光源累積稼働時間計算部３５３と、前記光源累積稼働時間Ｂを記憶する光源累積稼働時間記憶手段３０５と、前記基準部材１０３の読取により得られた情報Ａの経時の変化と、各読取時までの光源累積稼働時間Ｂとにより、読取時の光源の残寿命Ｔ２を計算する残寿命計算手段３０３と、前記光源１１１の残寿命Ｔ２を開示する開示手段２０１とを有することを特徴とする画像読取装置。【選択図】        図６
2004173167.tif 000002
【特許請求の範囲】
【請求項１】
原稿と色の基準となる基準部材とを照明可能な光源を備え、前記光源により照明された前記原稿上の画像および前記基準部材を読み取る画像読取装置において、
所定のタイミングで前記光源により前記基準部材を照明し、その反射光から情報を読み取る読取手段と、
前記基準部材の読取により得られた情報を記憶する記憶手段と、
前記光源について光源累積稼働時間を計算する光源累積稼働時間計算部と、
前記光源累積稼働時間を記憶する光源累積稼働時間記憶手段と、
前記基準部材の読取により得られた情報の経時の変化と、各読取時までの光源累積稼働時間とにより、読取時の光源の残寿命を計算する残寿命計算手段と、
前記光源の残寿命を開示する開示手段とを有することを特徴とする画像読取装置。
【発明の詳細な説明】
【０００１】
【発明の属する技術分野】
本発明は、イメージスキャナとして、また電子写真複写機やプリンター等の構成として利用される画像読取装置、およびそれを備えた画像形成装置に関するものである。
【０００２】
【従来の技術】
従来、複写機やイメージスキャナ用の読み取り光源として、ハロゲンランプや水銀蛍光ランプ等の各種ランプが用いられている。
【０００３】
しかし、照明手段としてのハロゲンランプは、供給する電圧を一定に保てば光量も一定に維持できるものの、寿命になると急に切れることがあり、サービスコールの原因となっていた。そして、ランプが切れると、交換まで装置全体が使用不可となっていた。
【０００４】
また、ハロゲンランプは、高価であり、昇温に対する安全性の面からサーモスイッチ等を取り付ける必要性があるため、コストアップの原因となっていた。
【０００５】
そこで、立ち上がり特性、温度特性、耐久性に優れる、水銀を全く用いていないキセノン管が注目されている。
【０００６】
キセノン管は、水銀蛍光ランプと比べ光量が小さいため、今までは主にフラットベットスキャナに使われてきたが、最近になって高輝度化の開発が急速に進み、読み取り速度の速いデジタル複写機でも使えるケースが増えてきた。
【０００７】
しかし、照明手段としてのキセノンランプは、ランプ切れが発生しない反面、長期の使用で光量が低下して、徐々に画質の品位が劣化するという欠点があった。特に、ランプが切れないという利点が、逆に光量が不足している事態の発見を妨げるという欠点になっていた。
【０００８】
上記問題点に対しては、画像読取装置内に設けられた標準白板の原稿照明ランプからの反射光をＣＣＤにより読み取り、その読み取りにより得られた値に応じて画像処理装置に用いられる色補正係数を設定することで、光源の経時劣化による画質の品位劣化を防止する技術が知られている（例えば、特許文献１参照）。
【０００９】
又、原稿照明ランプの累積点灯時間を記憶する手段を設け、点灯累積時間が所定の値を超えた場合に警告を行い、光源の所定以上の劣化を検知することで光源の経時劣化による画質の品位劣化を防止する技術が知られている（例えば、特許文献２参照）。
【００１０】
又、キセノンランプの累積点灯時間が所定の値を超えた場合もしくはキセノンランプの光量が所定の値を下回った場合にランプの寿命を検知し、光源の所定以上の劣化を検知することで光源の経時劣化による画質の品位劣化を防止する技術が知られている（例えば、特許文献３参照）。
【００１１】
【特許文献１】
特開２００１−２１８０７２号公報
【特許文献２】
特開２０００−１５１９１８号公報
【特許文献３】
特開２００１−０２１９９８号公報
【００１２】
【発明が解決しようとする課題】
しかしながら、上記先行技術を用いても以下の問題点が存在していた。
【００１３】
原稿を照明する光源の寿命が所定の値を超えるか否かで判断されているため、耐久の進み具合が判断できず、光源の交換を促された後、市場での交換部品の用意、作業日程の調整等が行われ、その分ダウンタイムが発生している点。
【００１４】
光源の累積稼働時間で寿命を判断する場合、光源の持つ劣化特性の個体差が考慮されないため、例えば、個体差により長持ちする光源も長持ちしない光源に合わせて寿命を判断する閾値が設定されるため、まだ使用可能な光源でも寿命として判断され廃棄される点。
【００１５】
本発明は以上の問題を解決するものであり、その目的とする処は、原稿を照明する光源の交換時のダウンタイムを低減し、まだ使用可能な光源については適切な寿命を判断することができる画像読取装置、およびそれを備えた画像形成装置を提供することにある。
【００１６】
【課題を解決するための手段】
本発明は、下記の技術的構成により前記目的を達成できたものである。
【００１７】
（１）原稿と色の基準となる基準部材とを照明可能な光源を備え、前記光源により照明された前記原稿上の画像および前記基準部材を読み取る画像読取装置において、所定のタイミングで前記光源により前記基準部材を照明し、その反射光から情報を読み取る読取手段と、前記基準部材の読取により得られた情報を記憶する記憶手段と、前記光源について光源累積稼働時間を計算する光源累積稼働時間計算部と、前記光源累積稼働時間を記憶する光源累積稼働時間記憶手段と、前記基準部材の読取により得られた情報の経時の変化と、各読取時までの光源累積稼働時間とにより、読取時の光源の残寿命を計算する残寿命計算手段と、前記光源の残寿命を開示する開示手段とを有することを特徴とする画像読取装置。
【００１８】
（２）前記所定のタイミングは、システム起動時であることを特徴とする前記（１）項記載の画像読取装置。
【００１９】
（３）前記開示手段は、前記光源の残寿命を残稼働回数として表示することを特徴とする前記（１）項記載の画像読取装置。
【００２０】
（４）前記開示手段は、前記光源の残寿命を残稼働時間として表示することを特徴とする前記（１）項記載の画像読取装置。
【００２１】
（５）前記開示手段は、前記光源の残寿命を、原稿サイズに応じた、残稼働時間、または残稼働回数として表示することを特徴とする前記（１）項記載の画像読取装置。
【００２２】
（６）前記光源の稼働日時を計測する光源稼働日時計測手段と、前記光源の稼働日時を記憶する光源稼働日時記憶手段と、前記光源の稼働日時と前記光源累積稼働時間より光源の使用頻度を計算する光源使用頻度計算部とを有し、前記光源の残寿命を、前記光源の使用頻度に応じた残日数、残週数、残月数等の残期間として表示することを特徴とする前記（１）項記載の画像読取装置。
【００２３】
（７）前記基準部材の読取は、光源の長手方向に複数の箇所で行い、前記残寿命計算手段は、それら複数の読取により得られた情報の経時の変化と、光源累積稼働時間とにより、読取時の前記複数の箇所での残寿命を計算し、前記開示手段は、前記複数の箇所での残寿命のうち、最も短い残寿命を表示もしくは開示することを特徴とする前記（１）項記載の画像読取装置。
【００２４】
（８）色補正係数を用いて情報に対して色補正処理を施す色補正手段と、前記色補正手段を通信可能に接続する接続手段とを有し、前記基準部材の情報に応じた補正情報を、前記接続手段を介して前記色補正手段に伝送し、前記色補正手段は、前記補正情報を用いて色補正処理を行うことを特徴とする前記（１）項記載の画像読取装置。
【００２５】
（９）原稿と色の基準となる基準部材とを照明可能な光源を備える画像読取装置において、前記光源により照明された前記基準部材から情報を読み取る読取手段と、前記光源について光源累積稼働時間を計算する光源累積稼働時間計算部と、前記基準部材の情報の経時の変化と各読取時までの光源累積稼働時間とにより、前記光源の残寿命を計算する残寿命計算手段と、前記光源の残寿命を開示する開示手段とを有することを特徴とする画像読取装置。
【００２６】
（１０）前記（１）項ないし（９）項のいずれかに記載の画像読取装置を備えたことを特徴とする画像形成装置。
【００２７】
【発明の実施の形態】
以下、本発明の実施の形態を図面に基づいて説明する。
【００２８】
（実施例１）
本発明の実施例１を、図１〜図６を参照して説明する。
【００２９】
図１は、本発明の実施例１に係る画像読取装置の構成を示す側面ブロック図であり、プラテンガラスのみを断面に示した図である。
【００３０】
なお、ここでは、画像読取装置が複写機等の画像形成装置の一部として構成される例について説明する。
【００３１】
図中、１０１は原稿、１０２は、原稿１０１を搭載するプラテンガラス、１０３は、基準部材であるシェーディング補正用の白色板、１０４は、原稿１０１を抑える圧板、１０５は、原稿反射光をＣＣＤリニアイメージセンサ１０６上へ縮小結像させるレンズユニット、１０６は、読取手段であるＣＣＤリニアイメージセンサ、１０７はステッピングモータである。
【００３２】
１１０は第一ミラーユニット、１１１は、光源であるキセノン管からなる原稿照明ランプ、１１２は第一反射ミラー、１１３は、キセノン管１１１を点灯させるインバータであり、第一ミラーユニット１１０は、原稿照明ランプ１１１、第一反射ミラー１１２、インバータ１１３から構成される。
【００３３】
１２０は第二ミラーユニット、１２１は第二反射ミラー、１２２は第三反射ミラーであり、第二ミラーユニット１２０は、第二反射ミラー１２１、第三反射ミラー１２２から構成される。
【００３４】
上記構成において、プラテンガラス１０２に原稿１０１を搭載し、第一及び第二ミラーユニット１１０、１２０をステッピングモータ１０７により、右方向（副走査方向）に移動走査して原稿１０１を読み取る。
【００３５】
図２は、圧板を持ち上げた状態の画像読取装置の上面図である。
【００３６】
図２において、２０１は、開示手段であるＬＣＤ画面であり、ユーザーからの各種設定がタッチ式入力により行われる。
【００３７】
２１０はキーパッド、２１１は数字のテンキー、２１２はクリアーキー、２１３はエンターキー、２１４はストップキー、２１５はリセットキー、２１６はスタートキーであり、キーパッド２１０は、数字のテンキー２１１、クリアーキー２１２、エンターキー２１３、ストップキー２１４、リセットキー２１５、スタートキー２１６から構成される。
【００３８】
また、２０５、２０６、２０７は、原稿サイズ検知用の原稿検知フォトセンサである。
【００３９】
原稿１０１が、例えば図２のようにＡ４サイズである場合は、原稿検知フォトセンサ２０５、２０６がオフ信号、原稿検知フォトセンサ２０７がオン信号を出力し、それらの出力信号を基にして後述のＣＰＵ３０１が、原稿サイズをＡ４と認識し、その結果、原稿サイズがＬＣＤ２０１に表示される。
【００４０】
次に、図３、図４を用いて、本実施例の画像読取装置におけるキセノン管残寿命の計算、および表示について説明する。
【００４１】
図３は、画像読取装置の機能ブロック図、図４は、キセノン管残寿命を表示するＬＣＤの図である。
【００４２】
３０１はＣＰＵ、３０２は、シェーディング補正用の白色板１０３の反射光について、ＣＣＤリニアイメージセンサ１０６での読取値を計測する基準部材読取値計測部、３０３は、後述するメモリ３０５内に記憶されている基準部材読取値の経時データＡと光源累積稼働時間Ｂよりキセノン管１１１の残寿命を計算する残寿命計算手段である光源残寿命計算部、３０５は、記憶手段であり、光源累積稼働時間記憶手段であるメモリ、３１１は、インバータ１１３から原稿照明ランプであるキセノン管ランプ１１１への電源供給をオン／オフするスイッチ、３５２は、キセノン管ランプ１１１の稼働時間を計測する光源稼働時間計測部、３５３は、メモリ３０５内に記憶されるキセノン管１１１のそれまでの光源累積稼働時間Ｂに光源稼働時間計測部３５２で計測された稼働時間を加えて最新の累積稼働時間を計算し、メモリ３０５内の光源累積稼働時間Ｂを更新する光源累積稼働時間計算部である。Ａは、基準部材１０３の読取により得られた情報である基準部材読取値（経時データ）、Ｂは光源累積稼働時間、ｅは電源ＯＮの連絡である。
【００４３】
ＣＰＵ３０１は、基準部材読取値計測部３０２と、光源残寿命計算部３０３と、光源稼働時間計測部３５２と、光源累積稼働時間計算部３５３とを備えている。
【００４４】
メモリ３０５は、ＣＰＵ３０１の基準部材読取値計測部３０２にて計測された値である基準部材読取値（経時データ）Ａと、光源累積稼働時間計算部３５３で計算された光源累積稼働時間Ｂとを記憶している。
【００４５】
ここでシェーディング補正用の白色板１０３の反射光についてのＣＣＤリニアイメージセンサ１０６での読取（基準部材読取値計測部３０２にて計測）は、システムの電源ＯＮの連絡ｅがある毎（システム起動時毎）等の所定のタイミングに行うようにできる。
【００４６】
スイッチ３１１は、ＣＰＵ３０１によって制御されている。
【００４７】
光源稼働時間計測部３５２は、スイッチ３１１のオンしている時間を計測している。
【００４８】
ＣＰＵ３０１の光源残寿命計算部３０３での計算結果は、ＣＰＵ３０１によりＬＣＤ画面２０１に送られ、ＬＣＤ画面２０１にはキセノン管１１１の残寿命が表示される（図４参照）。
【００４９】
次に、図５、６を用いて、ＣＰＵ３０１内のキセノン管１１１の残寿命を計算する光源残寿命計算部３０３の計算内容について説明する。
【００５０】
図５、図６は、光源残寿命計算部の計算内容を説明する図である。
【００５１】
図５において、横軸はキセノン管１１１の累積稼働時間（ランプ稼働時間）であり、縦軸はシェーディング補正用の白色板１０３の反射光をＣＣＤリニアイメージセンサ１０６での読取した値（基準部材読取値計測部３０２での基準部材読取値Ａ）である。
【００５２】
５０１はランプの寿命線（平均値）、５０２はランプの寿命閾値、６０１はランプの寿命線（読取値）、６０２はランプの寿命予測線、Ｔ１はランプの平均寿命、Ｔ２はランプの残寿命である。
【００５３】
キセノン管１１１は、平均的には図５に示すような寿命線５０１を示す。
【００５４】
キセノン管１１１は、点灯時間が経つにつれ徐々に基準部材読取値Ａは低下していく。
【００５５】
そして、ランプの平均寿命Ｔ１は、ランプの寿命閾値５０２を下回るまでの時間で定義される。
【００５６】
システムの電源ＯＮの連絡ｅがある毎にシェーディング補正用の白色板１０３の反射光をＣＣＤリニアイメージセンサ１０６での読取をＣＰＵ３０１内の基準部材読取値計測部３０２で行い、メモリ３０５内に図６に示すＡ１、Ａ２、Ａ３、Ａ４のように基準部材読取値Ａの経時の変化として保存される。
【００５７】
又、メモリ３０５内の光源累積稼働時間Ｂには、図６に示すように基準部材読取値計測部３０２での読取値Ａ１、Ａ２、Ａ３、Ａ４の各読取時までの光源累積稼働時間Ｂが記憶される。
【００５８】
光源残寿命計算部３０３では、図６に示すように、基準部材読取値Ａ（Ａ１、Ａ２、Ａ３、Ａ４）と光源累積稼働時間Ｂより読取装置毎のランプの寿命線６０１を所定の関数に近似し、今後のランプの寿命予測線６０２を求める。
【００５９】
さらに、求められたランプの寿命予測線６０２より、現時点の基準部材読取値Ａ４からランプの寿命閾値５０２までのランプの残稼働時間を計算し、ランプの残寿命Ｔ２を求める。
【００６０】
ここでランプの寿命線６０１を所定の関数に近似する方法について説明する。
【００６１】
ランプの点灯時間をｘ、基準部材読取値Ａをｙとした場合、予めランプの寿命線（平均値）をｙ＝ｆ（ｘ）として求めておく。近似式は、例えばｙ＝ｆ（ｑ（ｘ−ｐ））として定義し、複数の基準部材読取値Ａ（Ａ１、Ａ２、Ａ３、Ａ４）及びそれに対応する光源累積稼働時間Ｂにより各々の時点でのｚ＝｜ｙ−ｆ（ｑ（ｘ−ｐ））｜を計算し、各々の時点でのｚ１、ｚ２、ｚ３、ｚ４、…の値の平均値が最も小さくなるｐ、ｑを求めることでランプの寿命線６０１の近似式ｙ＝ｆ（ｑ（ｘ−ｐ））を求める。
【００６２】
次に、残稼働時間として求められたランプの残寿命Ｔ２を画像読取装置の読取回数に変換する。
【００６３】
ここで予め、例えば、１回のＡ４、Ａ３サイズの読取を行う場合のランプ１１１の稼働時間を求めておき、先に得られた稼働時間として求められたランプの残寿命Ｔ２を各原稿サイズでの稼働時間で割ることで、ランプの残寿命Ｔ２を各原稿サイズに応じた読取装置の残稼働回数に換算することができる。
【００６４】
こうして、各原稿サイズに応じた読取装置の残稼働回数に換算されたランプの残寿命Ｔ２は、図４に示すように、ＬＣＤ２０１の画面上に表示される。
【００６５】
なお、残寿命を残稼働回数としてでなく、残稼働時間のまま表示させてもよい。
【００６６】
ここで計算されたランプの残寿命Ｔ２は、前述のようにＬＣＤ２０１上に表示する他に、画像読取装置に接続されるネットワークを介して遠隔地に情報を開示する開示手段を設け、メンテナンス計画等に利用することも可能である。
【００６７】
以上説明したように、本実施例によれば以下の効果が得られる。
【００６８】
原稿を照明する光源の残寿命を知ることが可能となり、光源の劣化による交換作業への対応（市場での交換部品の用意、作業日程の調整等）を円滑に行うことができ、結果として機械のダウンタイムを低減させることができる。
【００６９】
また、光源の残寿命を光源の持つ劣化特性の個体差を考慮して計算するため、正確な残寿命予測をして、適切な交換時期を知らせることが可能であり、使用可能な光源でも寿命と判断されて廃棄されることがない。
【００７０】
そして、シェーディング補正用の白色板１０３の読取値で光源の残寿命を計算しているため、寿命計算用のチャートを特に用意する必要がなく、且つ白色板１０３の輝度濃度が安定しているため残寿命の計算精度が高い。
【００７１】
また、予めサイズ毎の読取を行う場合のランプの稼働時間を求めておき、先に得られた稼働時間として求められたランプの残寿命を各サイズでの稼働時間で割ることで、ランプの残寿命を各原稿サイズに応じた読取装置の残稼働回数に換算することもできる。
【００７２】
なお、画像読取装置に、図示していない接続手段を設けて、この接続手段を介して図示していない色補正手段を設けることもできる。
【００７３】
画像読取装置が、システム起動時に、光源により基準部材を照明し、読取手段により基準部材を読み取るように制御し、基準部材の読取により得られた値に応じた補正情報を接続手段を介して色補正手段に伝送し、色補正手段はこの補正情報を用いて色補正手段による色補正処理を行うようにする。
【００７４】
これによって、画像読取装置に使用されている光源の特性の経時的な変動に起因する色再現性の劣化を回避するとともに、画像読取装置の同一機種間での画質の不整合を緩和することができ、かつ光源の残寿命も正確に予測できる画像読取装置を提供できる。
【００７５】
（実施例２）
以下、本発明の実施例２を、図７〜図１０を参照して説明する。
【００７６】
実施例２では、基準部材読取値が、長手方向の複数の箇所で不均一を生じる場合等について説明する。さらに、開示については、残寿命を残日数等の残期間として開示する場合等について説明する。
【００７７】
なお、実施例１と同一の構成には同一の符号を付し、詳細な説明は省略する。
【００７８】
図７は、画像読取装置の機能ブロック図、図８は、キセノン管残寿命を表示するＬＣＤの図である。
【００７９】
３５１は、キセノン管の稼働した日時を計測する光源稼働日時計測手段である光源稼働日時計測部、３５４は、メモリ３０５内の光源稼働日時計測部３５１により計測された日時３５５と光源累積稼働時間Ｂの値より、光源の使用頻度（例えば、ランプの１日の平均稼働時間）を計算する光源使用頻度計算部、Ｃは、ＣＰＵ３０１の光源稼働日時計測部３５１により計測された光源稼働日時である。
【００８０】
ＣＰＵ３０１は、実施例１での構成に加え、光源稼働日時計測部３５１と、光源の使用頻度計算部３５４とを備えている。
【００８１】
また、本実施例のメモリ３０５は、記憶手段であり、光源累積稼働時間記憶手段であり、光源稼働日時Ｃを記憶する光源稼働日時記憶手段でもある。
【００８２】
ＣＰＵ３０１の光源残寿命計算部３０３での計算結果は、ＣＰＵ３０１によりＬＣＤ画面２０１に送られ、ＬＣＤ画面２０１には、キセノン管１１１の残寿命が表示される（図８参照）。
【００８３】
次に、図９、図１０を用いて、ＣＰＵ３０１内のキセノン管１１１の残寿命を計算する光源残寿命計算部３０３の計算内容について説明する。
【００８４】
図９は、長手（スラスト）での不均一を説明する図、図１０（ａ）は、中央部についての光源残寿命計算部の計算内容を説明する図、図１０（ｂ）は、手前部についての光源残寿命計算部の計算内容を説明する図である。
【００８５】
６０１′はランプの中央部寿命線（読取値）、６０１″はランプの手前部寿命線（読取値）、６０２′はランプの中央部寿命予測線、６０２″はランプの手前部寿命予測線、Ｔ２′はランプの中央部残寿命、Ｔ２″はランプの手前部残寿命である。
【００８６】
図９の実線に示すように、基準部材読取値Ａが、例えば、ランプ１１１の長手（スラスト）方向について一定でないことがある。また、図９の点線に示すように、ランプ１１１の長手（スラスト）方向に、何らかの原因で基準部材読取値Ａに不均一が生じる場合がある。
【００８７】
このような場合には、前記基準部材の読取は、光源の長手方向に複数の箇所で行い、複数の箇所での残寿命を計算し、最も短い残寿命を表示もしくは開示することで、より正確な残寿命予測が可能となる。
【００８８】
そのため、まず、システムの電源ＯＮの連絡ｅがある毎にシェーディング補正用の白色板１０３の反射光をＣＣＤリニアイメージセンサ１０６での読取をＣＰＵ３０１内の基準部材読取値計測部３０２で行い、メモリ３０５内に基準部材読取値Ａとして保存する。
【００８９】
ここで白色板１０３の反射光のＣＣＤリニアイメージセンサ１０６での読取は光源１１１の長手方向の複数の箇所で行う。
【００９０】
又、メモリ３０５内の光源累積稼働時間Ｂには図１０に示す光源累積稼働時間が記憶される。
【００９１】
光源残寿命計算部３０３では、図１０に示すように（図１０では参考としてランプの中央部と手前部の２箇所について示す）、光源の長手方向の複数の箇所各々について基準部材読取値Ａと光源累積稼働時間Ｂより読取装置毎のランプの寿命線６０１′、６０１″、…を所定の関数に近似し、今後のランプの寿命予測線６０２′、６０２″、…を求める。
【００９２】
さらに、求められたランプの寿命予測線６０２′、６０２″、…より現時点から基準部材読取値Ａがランプの寿命閾値５０２になるまでのランプの稼働時間を計算し、光源の長手方向の複数の箇所各々についてランプの残寿命Ｔ２′、Ｔ２″、…を求める。
【００９３】
次に稼働時間として求められたランプの残寿命Ｔ２′、Ｔ２″、…を光源の使用頻度（例えば、１日のランプの平均稼働時間）計算部３５４の計算値に基づき残期間に変換する。
【００９４】
例えば、ランプの残寿命が残稼働時間の換算で５００（時間）、１日の読取装置のランプの平均稼働時間２（時間／日）の場合、ランプの残寿命は、残日数で２５０日（＝５００／２）となる。
【００９５】
なお、同様に残週数、残月数等の残期間とすることもできる。
【００９６】
こうして時間換算されたランプの残寿命Ｔ２′、Ｔ２″、…について、その値の最も短い残寿命を、図８に示すように、ＬＣＤ２０１の画面上に表示する。
【００９７】
このように、光源の長手方向の複数の箇所各々についてランプの残寿命Ｔ２′、Ｔ２″、…を求めることにより、例えば、図９の点線に示すように、ランプ１１１の長手（スラスト）での不均一があった場合でもより正確な残寿命の把握が可能となる。
【００９８】
さらに計算されたランプの残寿命Ｔ２′、Ｔ２″、…は、実施例１と同様に、ＬＣＤ２０１上に表示する他に、画像読取装置に接続されるネットワークを介して遠隔地に情報を出し、メンテナンス計画等に利用することも可能である。
【００９９】
以上説明したように、本実施例によれば以下の効果が得られる。
【０１００】
原稿を照明する光源の残寿命を知ることが可能となり、光源の劣化による交換作業への対応（市場での交換部品の用意、作業日程の調整等）が円滑に行うことができ、結果として機械のダウンタイムを低減させることができる。
【０１０１】
そして、光源の残寿命を光源の持つ劣化特性の個体差を考慮して計算するため、正確な残寿命予測が可能であり、適切な交換時期を知らせることが可能であり、使用可能な光源でも寿命として判断され廃棄されることがない。
【０１０２】
また、光源の残寿命を読取装置の使用頻度を考慮して、時間換算（光源の実使用可能日数）で把握することが可能であるため、より適切な光源の劣化による交換作業への準備が可能となる。
【０１０３】
さらに、光源の長手の不均一を考慮して光源の残寿命を計算するため、より正確な残寿命予測が可能となる。
【０１０４】
なおさらに、シェーディング補正用の白色板１０３の読取値で光源の残寿命計算しているため、寿命計算用のチャートを特に用意する必要がなく且つ白色板１０３の輝度濃度が安定しているため残寿命の計算精度が高い。
【０１０５】
なお、実施例２においても実施例１と同様に、画像読取装置に、図示していない接続手段を設けて、この接続手段を介して図示していない色補正手段を設けることもできる。
【０１０６】
これによって、画像読取装置に使用されている光源の特性の経時的な変動に起因する色再現性の劣化を回避するとともに、画像読取装置の同一機種間での画質の不整合を緩和することができ、かつ光源の残寿命も正確に予測できる画像読取装置を提供できる。
【０１０７】
なおさらに、実施例１、２では、画像読取装置が複写機等の画像形成装置の一部として構成される例について説明したが、本発明はこれのみに限定されるものではなく、画像読取装置が単独で用いられるような場合にも適用可能であるのはいうまでもない。
【０１０８】
【発明の効果】
以上詳細に説明したように、本発明によれば下記の効果が得られる。
【０１０９】
原稿を照明する光源の交換時のダウンタイムを低減し、まだ使用可能な光源については適切な寿命を判断することができる画像読取装置、およびそれを備えた画像形成装置を提供することができる。
【０１１０】
すなわち、原稿を照明する光源の残寿命を知ることが可能となり、光源の劣化による交換作業への対応（市場での交換部品の用意、作業日程の調整等）が円滑に行うことができ、結果として機械のダウンタイムを低減させることができる。
【０１１１】
そして、光源の残寿命を光源の持つ劣化特性の個体差を考慮して計算するため、正確な残寿命予測が可能であり、適切な交換時期を知らせることが可能であり、使用可能な光源でも寿命として判断され廃棄されることがない。
【０１１２】
また、光源の残寿命を読取装置の使用頻度を考慮して残期間換算（光源の実使用可能日数等）で把握することで、より適切な光源の劣化による交換作業への準備も可能となる。
【０１１３】
さらに、光源の長手の不均一を考慮して光源の残寿命を計算することで、より正確な残寿命予測も可能となる。
【０１１４】
なおさらに、シェーディング補正用の白色板の読取値で光源の残寿命計算することで、寿命計算用のチャートを特に用意する必要がなく、且つ白色板の輝度濃度が安定しているため残寿命の計算精度が高い。
【０１１５】
また、予め原稿サイズ毎に、読取を行う場合のランプの稼働時間を求めておき、稼働時間として求められたランプの残寿命を各サイズでの稼働時間で割ることで、ランプの残寿命を各原稿サイズに応じた読取装置の残稼働回数に換算することもできる。
【０１１６】
さらに、画像読取装置に、接続手段を介して色補正手段を設けることにより、画像読取装置に使用されている光源の特性の経時的な変動に起因する色再現性の劣化を回避し、画像読取装置の同一機種間での画質の不整合を緩和することができ、かつ光源の残寿命も正確に予測できる画像読取装置を提供できる。
【図面の簡単な説明】
【図１】本発明の実施例１に係る画像読取装置の構成を示す側面ブロック図であり、プラテンガラスのみを断面に示した図
【図２】圧板を持ち上げた状態の画像読取装置の上面図
【図３】画像読取装置の機能ブロック図
【図４】キセノン管残寿命を表示するＬＣＤの図
【図５】光源残寿命計算部の計算内容を説明する図
【図６】光源残寿命計算部の計算内容を説明する図
【図７】画像読取装置の機能ブロック図
【図８】キセノン管残寿命を表示するＬＣＤの図
【図９】長手（スラスト）での不均一を説明する図
【図１０】（ａ）は中央部についての光源残寿命計算部の計算内容を説明する図、（ｂ）は手前部についての光源残寿命計算部の計算内容を説明する図
【符号の説明】
１０３  白色板
１０６  ＣＣＤリニアイメージセンサ
１１１  原稿照明ランプ
２０１  ＬＣＤ画面
３０１  ＣＰＵ
３０２  基準部材読取値計測部
３０３  光源残寿命計算部
３０５  メモリ
３５１  光源稼働日時
３５２  光源稼働時間計測部
３５３  光源累積稼働時間計算部
３５４  光源使用頻度計算部
Ａ  基準部材読取値（経時データ）
Ｂ  光源累積稼働時間
Ｃ  光源稼働日時
Ｔ１  ランプの平均寿命
Ｔ２  ランプの残寿命
【図１】
2004173167.tif 000003
【図２】
2004173167.tif 000004
【図３】
2004173167.tif 000005
【図４】
2004173167.tif 000006
【図５】
2004173167.tif 000007
【図６】
2004173167.tif 000008
【図７】
2004173167.tif 000009
【図８】
2004173167.tif 000010
【図９】
2004173167.tif 000011
【図１０】
2004173167.tif 000012